(57)【要約】【課題】タイトル入力を行う場合、被撮影者情報と画像と同時に記録した時計情報と位置情報とから優先順位の高いタイトル候補を表示するタイトル入力装置を提供する。【解決手段】カメラ撮影時は、画像撮影部１から映像を取り込み、同時に音声入力部２から音声を取り込み記録再生処理部９で画像と音声それぞれ決められた圧縮処理を施してデータを圧縮し、時計情報入力部３から入力した時計情報と、位置情報入力部４から入力した位置情報とをあわせて記録媒体１０に記録する。タイトル入力時は記録媒体１０から再生された時計情報と位置情報をタイトル生成部６に出力する。また、タイトル生成部６にあらかじめ被撮影者情報入力部５から被撮影者情報として生年月日などを入れておけば年齢や時計情報や位置情報とから優先度の高いタイトル候補を表示する。【選択図】図１
2009094769.tif 000002
【特許請求の範囲】
【請求項１】
画像を撮影する画像撮影手段と、
音声を入力する音声入力手段と、
時計情報を入力する時計情報入力手段と、
位置情報を入力する位置情報入力手段と、
被撮影者情報を入力する被撮影者情報入力手段と、
ネットワーク経由で新たなタイトル情報を入力するＷＥＢ接続手段と、
前記ＷＥＢ接続手段から入力される情報と前記被撮影者情報入力手段から入力される被撮影者情報とからタイトル情報を生成するタイトル生成手段と、
前記タイトル生成手段で生成されたタイトルを選択するタイトル選択手段と、
前記画像撮影手段で撮影された画像と前記音声入力手段から入力された音声とを符号化し、前記時計情報入力手段から入力された時計情報と前記位置情報入力手段から入力された位置情報と前記タイトル選択手段で選択されたタイトルとともに、記録媒体に記録もしくは再生し復号する記録再生処理手段と、
前記画像撮影手段で撮影された画像もしくは前記記録再生処理手段で再生された画像もしくは前記タイトル生成手段で生成されたタイトルを表示する表示手段と、
前記記録再生処理手段で再生された音声を出力する音声出力手段と、を備えるタイトル入力装置。
【請求項２】
前記タイトル生成手段は、前記記録再生処理手段で再生される時計情報と位置情報とを入力とし、撮影場所ごとの行事情報もしくはネットワーク経由で得られる撮影場所ごとの行事情報からタイトル候補を抽出する請求項１記載のタイトル入力装置。
【請求項３】
前記タイトル生成手段は、前記記録再生処理部で再生される時計情報と被撮影者の性別や生年月日を含む情報とを入力とし、撮影日時と年齢に適した行事情報からタイトル候補を抽出する請求項１記載のタイトル入力装置。
【請求項４】
前記タイトル選択手段は、前記タイトル生成手段が抽出したタイトル候補を、一つ以上選択する請求項１記載のタイトル入力装置。
【発明の詳細な説明】
【技術分野】
【０００１】
本発明は、時計情報と位置情報とあらかじめ設定される被撮影者の情報とから、タイトルを容易に生成し選択できるタイトル入力装置に関するものである。
【背景技術】
【０００２】
近年、デジタルカメラ、デジタルビデオカメラの急激な普及により高画質で小さくて便利なものが多く市場に登場している。記録媒体はシリコンメモリ、ＤＶＤ、ＢＤディスク、ハードディスクなど多くのものが市販され、記録媒体の記録容量も年々増大してきており、一つのメディアに撮影日の異なる多くの動画が時計情報と同時に記録され、撮影後の再生時に所望の動画を検索する上でこの時計情報が有力な手がかりとなっている。また動画を日時情報以外の情報としてタイトルの入力も可能になっている。
【０００３】
しかしながら、従来の技術ではタイトルの入力は文字を一つ一つ入力する、もしくはあらかじめ用意されている固定のタイトル一覧から選択する方法のため、タイトル入力に時間を要するという欠点がある。
【０００４】
タイトルの入力を容易にする方法として、例えば特許文献１では、記録日に基づくタイトルを表示する技術が開示されているが、新たなイベントに対してはタイトルの入力が必要であり、タイトル入力に手間がかかる。
【特許文献１】特開平１１−２０３８４２号公報
【発明の開示】
【発明が解決しようとする課題】
【０００５】
本発明は上記問題点に鑑み、タイトル入力において、時計情報と位置情報とあらかじめ設定される被撮影者の情報の少なくとも一つ以上を要し、優先度の高いタイトル候補を表示して所望のタイトル入力を容易にすることを特徴とする請求項１記載のタイトル入力装置である。
【課題を解決するための手段】
【０００６】
前記課題を解決するために本発明のタイトル入力装置は、画像を撮影する画像撮影手段と、音声を入力する音声入力手段と、時計情報を入力する時計情報入力手段と、位置情報を入力する位置情報入力手段と、被撮影者情報を入力する被撮影者情報入力手段と、ネットワーク経由で新たなタイトル情報を入力するＷＥＢ接続手段と、前記ＷＥＢ接続手段から入力される情報と前記被撮影者情報入力手段から入力される被撮影者情報とからタイトル情報を生成するタイトル生成手段と、前記タイトル生成手段で生成されたタイトルを選択するタイトル選択手段と、前記画像撮影手段で撮影された画像と前記音声入力手段から入力された音声とを符号化し、前記時計情報入力手段から入力された時計情報と前記位置情報入力手段から入力された位置情報と前記タイトル選択手段で選択されたタイトルとともに、記録媒体に記録もしくは再生し復号する記録再生処理手段と、前記画像撮影手段で撮影された画像もしくは前記記録再生処理手段で再生された画像もしくは前記タイトル生成手段で生成されたタイトルを表示する表示手段と、前記記録再生処理手段で再生された音声を出力する音声出力手段とを備える。
【０００７】
これにより、たとえばＧＰＳ（Ｇｌｏｂａｌ  Ｐｏｓｉｔｉｏｎｉｎｇ  Ｓｙｓｔｅｍ）等から得られる位置情報などから地域や国を特定し、その地域の行事情報と時計情報とから有力なタイトル候補を表示したり地名を表示する事が可能となる。また撮影されている人物の生年月日や性別から、運動会や入学式や夏休みなどの学校行事も優先的に表示可能となる。表示された複数の候補から一つもしくは複数のタイトルを選択し記録媒体記録する事も可能となる。
【発明の効果】
【０００８】
以上説明したように本発明に係るタイトル入力装置は、被撮影者情報や撮影時の時計情報や位置情報などからタイトル候補を抽出し、容易にタイトル候補を選ぶ事ができ、その実用的効果は大きい。
【発明を実施するための最良の形態】
【０００９】
以下、本発明の実施の形態について、図面を用いて詳細に説明する。
【００１０】
図１は本発明におけるタイトル入力装置の実施例である。
【００１１】
画像撮影部１は、レンズを通して入力される光学映像をＣＣＤやＣＭＯＳセンサーなどでデジタルデータに変換し、ハイビジョンの場合は記録画素数とフレームレートなどあらかじめ決められたデジタルデータに変換する。静止画の場合はそのままデータとして利用する。またカメラ特有のホワイトバランスの調整や色合いの調整、手振れ補正などの一連の画質を向上させる信号処理も施される。音声入力部２はマイクなどで構成され、動画撮影時の音を収集する。
【００１２】
時計情報入力部３は世界標準に基づいた時計情報を入力する。位置情報入力部４はＧＰＳ等から測位された経度緯度情報もしくは住所情報などの位置情報を入力する。被撮影者情報入力部５は、あらかじめ設定された家族や友人などの被撮影者の生年月日や性別などの被撮影者情報を入力する。タイトル生成部６は時計情報とＧＰＳ等から得られる位置情報とから特定される地名と、その地名の特有の画像撮影日の行事を優先度の高いものからタイトル候補として抽出することができる。またあらかじめ設定された家族などの被撮影者の生年月日や性別などの被撮影者情報から、誕生日や記念日や祭りなどの行事や、運動会や入学式や夏休みなどの学校行事などの複数のタイトル候補も優先的に抽出可能となる。
【００１３】
タイトル選択部７はユーザーがボタンやタッチパネルを利用してタイトル生成部６が生成した複数のタイトルから所望のタイトル選択する。ＷＥＢ接続部８はインターネットなどのネットワークに接続でき、時計情報や位置情報から撮影した日時の撮影場所の行事や天気や撮影場所近くの地名、建物名などを検索してタイトル生成部に入力する。記録再生処理部９は、動画記録時は時計情報と位置情報と、前記画像撮影部１で撮影された動画データをあらかじめ決められた圧縮方法で変換した動画データと、前記音声入力部２で入力された音声をあらかじめ決められた圧縮方法で変換した音声データとを記録媒体１０に記録し、動画再生時は記録媒体１０からタイトルもしくは時計情報や位置情報と圧縮された動画データと圧縮された音声データとを読み出し、圧縮された動画データはあらかじめ決められた方法で復号し、圧縮された音声データもあらかじめ決められた方法で復号する。またタイトル記録時は、前記タイトル生成部６で生成されタイトル選択部７で選択されたタイトルを、前記記録再生処理部９を経由して記録媒体１０に記録する。表示部１１は一般的には液晶などが利用され、撮影時はタイトルや画像撮影部１の画像を表示し、再生時は記録再生処理部９で復号された動画データやタイトルを表示する。またタイトル選択時のタイトル候補も表示する。音声出力部１２は一般的にはスピーカーなどが利用され、記録再生処理部９で復号された音声データを出力する。
【００１４】
次に、図１に示すタイトル入力装置の動作を説明する。
【００１５】
カメラ撮影時は、画像撮影部１から映像を取り込み、同時に音声入力部２から音声を取り込み記録再生処理部９で画像と音声それぞれ決められた圧縮処理を施してデータを圧縮し、時計情報入力部３から入力した時計情報と、位置情報入力部４から入力した位置情報とをあわせて記録媒体１０に記録する。再生時は記録媒体１０からデータを読み出し、映像データは表示部１１に表示し、音声データは音声出力部１２に出力する。また再生された時計情報と位置情報はタイトル生成部６に出力される。表示部１１には図２に示すように、タイトル生成部６で生成されるタイトル候補を表示する。たとえば位置情報から、撮影された地名として「東京ディズニーランド」２０などの地名をタイトル候補として表示する。また、撮影画像の時計情報２７から「夏休み」２１などの行事のタイトル候補を作成する。タイトル生成部６にあらかじめ被撮影者情報入力部５から被撮影者情報としてパパ、ママ、子供の生年月日を入れておけば、時計情報を参照してそれぞれの年齢を算出しパパの年齢２５、ママの年齢２６、長女の年齢２２，次女の年齢２３を表示できる。また、誕生日とタイトル候補も作成できる。年齢と時計情報とから学生の場合は学年に応じた季節毎の行事もタイトル候補として撮影できる。また、撮影日時と位置情報とから、ＷＥＢ接続部８経由で撮影時の撮影場所の天気や気温などの天候情報２４を取得しタイトル候補を生成できる。またＷＥＢ接続部８経由で位置情報と組み合わせ各国の地域ごとの最新の行事も抽出できる。時計情報や位置情報とから生成されるタイトル候補以外の結婚式３５、発表会３０、入学式３１、運動会３２、卒業式３３、旅行３４などに代表される使用頻度の高い固有の行事などは、図３に示すように、あらかじめ固有のタイトル情報として用意しユーザーが選択可能とする。表示部１１に表示されるタイトル候補は、一つの画像に対し一つもしくは複数選ぶことも可能である。図４にタイトル表示の例を示す。画像毎に撮影日時に加え、行事や撮影場所などの選択されたタイトルが表示される。
【産業上の利用可能性】
【００１６】
本発明にかかるタイトル入力装置は、被撮影者情報や撮影時の時計情報や位置情報などからタイトル候補を抽出し、容易にタイトル候補を選ぶ事ができるため、その実用的効果は大きく、デジタルカメラ、デジタルビデオカメラ、及び撮影機能付き携帯電話等において有用である。
【図面の簡単な説明】
【００１７】
【図１】本発明のタイトル入力装置の一実施例を示すブロック図
【図２】本発明のタイトル入力装置のタイトル選択表示部の表示例を示す図
【図３】本発明のタイトル入力装置のタイトル選択表示部の表示例を示す図
【図４】本発明のタイトル入力装置の画像とタイトルの表示例を示す図
【符号の説明】
【００１８】
１    画像撮影部
２    音声入力部
３    時計情報入力部
４    位置情報入力部
５    被撮影者情報入力部
６    タイトル生成部
７    タイトル選択部
８    ＷＥＢ接続部
９    記録再生処理部
１０    記録媒体
１１    表示部
１２    音声出力部
２０    タイトル候補「東京ディズニーランド」
２１    タイトル候補「夏休み」
２２    タイトル候補「長女：１０歳」
２３    タイトル候補「次女：６歳」
２４    タイトル候補「晴れ：２５℃」
２５    タイトル候補「パパ：４０歳」
２６    タイトル候補「ママ：３８歳」
２７    撮影時刻情報
３０    タイトル候補「発表会」
３１    タイトル候補「入学式」
３２    タイトル候補「運動会」
３３    タイトル候補「卒業式」
３４    タイトル候補「旅行」
３５    タイトル候補「結婚式」
【図１】
2009094769.tif 000003
【図２】
2009094769.tif 000004
【図３】
2009094769.tif 000005
【図４】
2009094769.tif 000006